(57)【要約】      （修正有）【課題】良好な支持性及び吸着性を有すると共に、異なる組み合わせを有して、異なる身体部位に適用できる医療用ピローキットを提供する。【解決手段】第１の吸着体１１と、第１の吸着体の一部位を露出するように第１の吸着体に覆設される第１の覆設部材１２と、を有する第１のピローユニット１と、第２の吸着体と、第２の吸着体を完全に被覆するように第２の吸着体に覆設される第２の覆設部材と、を有する第２のピローユニット２と、を含む。【選択図】図５
0003224937.tif 000002
【実用新案登録請求の範囲】
【請求項１】
第１の吸着体と、前記第１の吸着体の一部位を露出するように前記第１の吸着体に覆設される第１の覆設部材と、を有する第１のピローユニットと、
第２の吸着体と、前記第２の吸着体を完全に被覆するように前記第２の吸着体に覆設される第２の覆設部材と、を有する第２のピローユニットと、
を含む医療用ピローキット。
【請求項２】
前記第１の吸着体又は前記第２の吸着体は、発泡材質から製造される請求項１に記載の医療用ピローキット。
【請求項３】
前記第１の吸着体の露出する前記部位は、前記第１の吸着体の中央に位置する請求項１に記載の医療用ピローキット。
【請求項４】
前記第１のピローユニットが前記第２のピローユニットの上に位置し、且つ前記第１の吸着体の露出する前記部位は、前記第１の吸着体の前記第２のピローユニットから離れる側に位置する請求項１に記載の医療用ピローキット。
【請求項５】
前記第１の吸着体又は前記第２の吸着体は、溝、凸部、又は凹部を有する請求項１に記載の医療用ピローキット。
【請求項６】
前記第１の吸着体又は前記第２の吸着体は、波浪状である請求項１に記載の医療用ピローキット。
【請求項７】
前記第１の吸着体又は前記第２の吸着体は、直方体である請求項１に記載の医療用ピローキット。
【請求項８】
前記第１の吸着体又は前記第２の吸着体の隅は、直角又は円弧状である請求項１に記載の医療用ピローキット。
【請求項９】
第３の吸着体と、前記第３の吸着体の一部位を露出するように前記第３の吸着体に覆設され、又は前記第３の吸着体を完全に被覆するように前記第３の吸着体に覆設される第３の覆設部材と、を有する第３のピローユニットを更に含む請求項１に記載の医療用ピローキット。
【請求項１０】
前記第１のピローユニット、前記第２のピローユニットと前記第３のユニットの一方が他方の両者の上に位置する請求項９に記載の医療用ピローキット。
【考案の詳細な説明】
【技術分野】
【０００１】
本考案は、医療用ピローキットに関する。
【背景技術】
【０００２】
社会の高齢化への進行につれて、長期介護の要求もますます増えている。長い年月にわたって病臥する老齢者にとって、ピローキットの品質は相当重要である。良いピローキットであれば、病臥者に柔らかい支持性を提供すると共に、好適な吸着性を提供して、病臥者から流れた体液を吸着し、体液の拡散を避けることができる。なお、病臥者の枕にしようとする部位の異なりによって、ピローキットは、異なる部位に適用されてもよい。
【０００３】
上記要求に応じて、上記問題を解決することのできる医療用ピローキットが望まれている。
【考案の概要】
【考案が解決しようとする課題】
【０００４】
本考案の目的は、良好な支持性及び吸着性を提供すると共に、異なる組み合わせを提供して、異なる身体部位に適用されることのできる医療用ピローキットを提供することにある。
【課題を解決するための手段】
【０００５】
本考案の上記目的によると、第１の吸着体と、第１の吸着体の一部位を露出するように第１の吸着体に覆設される第１の覆設部材と、を有する第１のピローユニットと、第２の吸着体と、第２の吸着体を完全に被覆するように第２の吸着体に覆設される第２の覆設部材と、を有する第２のピローユニットと、を含む医療用ピローキットを提供する。
【０００６】
本考案の一実施例によると、第１の吸着体又は第２の吸着体は、発泡材質から製造される。
【０００７】
本考案の一実施例によると、第１の吸着体の露出する部位は、第１の吸着体の中央に位置する。
【０００８】
本考案の一実施例によると、第１のピローユニットが第２のピローユニットの上に位置し、且つ第１の吸着体の露出する部位は、第１の吸着体の第２のピローユニットから離れる側に位置する。
【０００９】
本考案の一実施例によると、第１の吸着体又は第２の吸着体は、溝、又は凸部、又は凹部を有する。
【００１０】
本考案の一実施例によると、第１の吸着体又は第２の吸着体は、波浪状である。
【００１１】
本考案の一実施例によると、第１の吸着体又は第２の吸着体は、直方体である。
【００１２】
本考案の一実施例によると、第１の吸着体又は第２の吸着体の隅は、直角又は円弧状である。
【００１３】
本考案の一実施例によると、医療用ピローキットは、第３の吸着体と、第３の吸着体の一部位を露出するように第３の吸着体に覆設され、又は第３の吸着体を完全に被覆するように第３の吸着体に覆設される第３の覆設部材と、を有する第３のピローユニットを更に含む。
【００１４】
本考案の一実施例によると、第１のピローユニット、第２のピローユニットと第３のユニットの一方が他方の両者の上に位置する。
【考案の効果】
【００１５】
以上をまとめると、本考案の医療用ピローキットは、第１のピローユニット及び第２のピローユニットによる異なる組み合わせを提供して、使用者の身体の複数の部位に適用されてよい。なお、第１のピローユニットが主に吸着性を提供し、第２のピローユニットが主に支持性を提供するので、使用者の支持及び吸着の要求を満たすことができる。そのため、本考案の医療用ピローキットは、良好な支持性及び吸着性を提供すると共に、異なる組み合わせを提供して、多種の適用を達成し、更に製品の使用効能及び競争力を向上させることができる。
【００１６】
本考案の上記特徴及びメリットをより分かりやすくするために、以下、特に実施例を挙げて、添付図面に合わせて下記のように詳しく説明する。
【図面の簡単な説明】
【００１７】
添付図面に合わせた詳細な下記説明によって、本考案の態様をよりよく理解することができる。注意すべきなのは、業界の標準の実務によると、各特徴は比例にして描かれたものではない。実際的に、より明確に検討するために、各特徴のサイズも任意に増加又は減少してよい。
【図１】本考案の実施例に係る医療用ピローキットの第１のピローユニットの分解模式図である。
【図２】本考案の別の実施例に係る第１の吸着体の分解模式図である。
【図３】本考案の別の実施例に係る第１の吸着体の分解模式図である。
【図４】本考案の実施例に係る医療用ピローキットの第２のピローユニットの分解模式図である。
【図５】本考案の実施例に係る医療用ピローキットの模式図である。
【図６】本考案の実施例に係る別の医療用ピローキットの模式図である。
【考案を実施するための形態】
【００１８】
以下、本考案の実施例を詳しく検討する。しかしながら、理解すべきなのは、実施例は、数多くの適用可能な概念を提供し、様々な特定の内容に実施されることができる。検討し開示される実施例は、単に説明するためのものであるが、本考案の範囲を限定するためのものではない。
【００１９】
図１は、本考案の実施例に係る医療用ピローキットの第１のピローユニット１の分解模式図である。図１に示すように、第１のピローユニット１は、第１の吸着体１１と、第１の吸着体１１の部位１１１を露出するように第１の吸着体１１に覆設される第１の覆設部材１２と、を有する。本考案は、第１の吸着体１１の形状を制限しなく、例えば、直方体又は他の幾何形状であってよく、ここで、直方体を例とする。また、第１の吸着体１１の隅は直角又は円弧状であってよく、ここで、円弧状を例とする。第１の吸着体１１は、液体を吸着可能で洗浄によって液体を取り出すことのできる如何なる材質から製作されてもよく、例えば、発泡材質によって製作されてよい。発泡材質はフォームであってよく、例えば、メモリーフォームであってよい。
【００２０】
第１の覆設部材１２は、第１の吸着体１１の部位１１１を露出するように、第１の吸着体１１の一部のみに覆設される。本実施例において、第１の覆設部材１２は、間隔をあけて設けられる２つの覆設部１２１及び覆設部１２１に接続される接続部１２２を含む。接続部１２２がそれぞれ覆設部１２１の一側に接続されて、覆設部１２１の他側が互いに繋がらずに第１の吸着体１１の部位１１１が露出するようにする。接続部１２２は、それぞれ第１の吸着体１１の対向する両側に覆設される。露出しようとする部位の異なりによって、第１の覆設部材１２は、異なる形態を有してよい。本実施例は、第１の覆設部材１２の材質を制限しなく、例えば、防水材質から製作されてよい。他の実施例において、第１の覆設部材１２は、織物で製作されてもよい。
【００２１】
本実施例において、第１の吸着体１１の露出する部位１１１は、第１の吸着体１１の中央に位置する。他の実施例において、第１の吸着体１１の露出する部位１１１は、第１の吸着体１１の何れの部分に位置してもよい。
【００２２】
本実施例において、第１のピローユニット１は、主に、吸着機能を提供する。使用上、使用者の体液を流れがちな部位が第１の吸着体１１の露出する部位１１１を枕にするようにして、使用者から体液が流れると、第１の吸着体１１の露出する部位１１１が体液を吸收するので、体液の拡散を避けることができる。その後、第１の吸着体１１を洗浄するだけで、付けられた体液を除去することができる。
【００２３】
図２は、本考案の別の実施例に係る第１の吸着体１１ａの分解模式図である。図２に示すように、この実施例の第１の吸着体１１ａは溝１１２を有してよく、本考案は溝１１２の位置を制限しなく、ここで溝１１２が第１の吸着体１１ａの左右両側に跨ることを例とする。使用者は、溝１１２を枕にして、ストレス解消の効果を得ることができる。また、本考案は、溝１１２の数を制限しなく、要求に応じて設けられてよい。また、第１の吸着体１１ａが凹部１１３を有し、使用者が凹部１１３を枕にすることで安定の効果を得ることができる。ここで、凹部１１３と溝１１２がそれぞれ互いに垂直である２つの方向に沿って延伸し、且つ凹部１１３と溝１１２とが接する。なお、第１の吸着体１１ａは、例えば、凸部のような他の構造を有してもよい。
【００２４】
図３は、本考案の別の実施例に係る第１の吸着体１１ｂの分解模式図である。図３に示すように、この実施例の第１の吸着体１１ｂは波浪状である。波浪状の第１の吸着体１１ｂも使用者にストレス解消の効果をもたらすことができる。
【００２５】
図４は、本考案の実施例に係る医療用ピローキットの第２のピローユニット２の分解模式図である。図４に示すように、第２のピローユニット２は第２の覆設部材２２及び第２の吸着体（第２の覆設部材２２により完全に被覆されるので図示されなく、図１の第１の吸着体１１を参照してよい）を有する。また、第２の覆設部材２２は、第２の吸着体を完全に被覆するように第２の吸着体に覆設され、つまり第２の吸着体を露出しないように第２の吸着体に覆設される。本実施例において、第２のピローユニット２が主に支持性を提供するので、第２の吸着体を露出する必要はないが、使用者の体液が第２の吸着体に流れると、第２の吸着体も使用者の体液を吸收することができる。なお、第２のピローユニット２に、上記第１のピローユニット１及び図１〜図３に参照して述べられた特徴を適用することができるので、ここで、繰り返して説明しない。また、第２の吸着体と第１の吸着体１１は、同じ又は異なる材質から製作されてもよく、又は同じ又は異なる形状又は大きさであってもよい。
【００２６】
図５は、本考案の実施例に係る医療用ピローキットＫの模式図である。本実施例において、医療用ピローキットＫは、前記第１のピローユニット１と第２のピローユニット２を有するものを例とする。図５に示すように、第１のピローユニット１が第２のピローユニット２の上に位置し、且つ露出した部位１１１が第１の吸着体１１の第２のピローユニット２から離れた側に位置する。使用上、使用者の体液を流れがちな部位が第１の吸着体１１の露出部位１１１に接触してよく、このように、第２のピローユニット２の支持性及び第１のピローユニット１の吸着性を両立することができる。
【００２７】
本考案は、第１のピローユニット１と第２のピローユニット２の適用される身体部位を制限しなく、且つその使用形態も異なる身体部位によって調整されてよい。例として、ある実施例において、第１のピローユニット１と第２のピローユニット２は、分かれて使用されてもよく、つまり、使用上、第１のピローユニット１と第２のピローユニット２を重ねなくてもよい。
【００２８】
図６は、本考案の実施例に係る別の医療用ピローキットＫ１の模式図である。図６に示すように、医療用ピローキットＫ１は、第３のピローユニット３を更に含む。本実施例において、第３のピローユニット３は、第３の吸着体３１と、第３の吸着体３１の部位３１１を露出するように第３の吸着体３１に覆設される第３の覆設部材３２と、を有する。本実施例において、第３のピローユニット３は、第１のピローユニット１と同様に、第１のピローユニット１の全ての特徴を適用することができる。医療用ピローキットＫ１の使用形態は、図６を例として、第１のピローユニット１と第２のピローユニット２が並んで設けられ、且つ第３のピローユニット３が第１のピローユニット１と第２のピローユニット２の上に設けられる。本実施例において、第１のピローユニット１、第２のピローユニット２と第３のピローユニット３の長軸が同一の方向に沿っている。使用上、使用者の体液を流れがちな部位は、第３のピローユニット３の露出部位３１１に接触してよい。本考案は、医療用ピローキットＫ１の適用する身体部位を制限しなく、且つその使用形態も異なる身体部位によって調整されてよい。例として、他の実施例において、第３のピローユニット３と第２のピローユニット２は重ねて使用されてよく、第１のピローユニット１は他の両者から分かれて使用されてよい。
【００２９】
上記説明から分かるように、本考案の医療用ピローキットは、第１のピローユニット及び第２のピローユニットによる異なる組み合わせを提供して、使用者の身体の複数の部位に適用されることができる。なお、第１のピローユニットが主に吸着性を提供し、第２のピローユニットが主に支持性を提供するので、使用者の支持及び吸着の要求を満たすことができる。そのため、本考案の医療用ピローキットは、良好な支持性及び吸着性を提供すると共に、異なる組み合わせを提供して、多種の適用を達成し、更に製品の使用効能及び競争力を向上させることができる。
【００３０】
以上、当業者に本考案の態様を更に理解させるために、複数の実施例の特徴を述べる。当業者であれば、本考案に基づいて他の工程や構造を設計又は修正することで、これらの実施例と同じである目標及び／又はメリットを完成してよいことは、理解すべきである。当業者でれば、また、これらの等効な構造が本考案の精神や範囲から逸脱しなく、且つ本考案の精神と範囲から逸脱せずに各種の改変や、取り替え、変更を加えてもよいことは、理解すべきである。
【符号の説明】
【００３１】
１：第１のピローユニット
１１、１１ａ、１１ｂ：第１の吸着体
１１１、３１１：部位
１１２：溝
１１３：凹部
１２：第１の覆設部材
１２１：覆設部
１２２：接続部
２：第２のピローユニット
２２：第２の覆設部材
３：第３のピローユニット
３１：第３の吸着体
３２：第３の覆設部材
Ｋ、Ｋ１：医療用ピローキット
【図１】
0003224937.tif 000003
【図２】
0003224937.tif 000004
【図３】
0003224937.tif 000005
【図４】
0003224937.tif 000006
【図５】
0003224937.tif 000007
【図６】
0003224937.tif 000008
【手続補正書】
【提出日】令和1年11月22日(2019.11.22)
【手続補正１】
【補正対象書類名】実用新案登録請求の範囲
【補正対象項目名】全文
【補正方法】変更
【補正の内容】
【実用新案登録請求の範囲】
【請求項１】
第１の吸着体と、第１の覆設部材と、を有し、前記第１の吸着体は、前記第１の覆設部材に配置され、前記第１の吸着体の一部位は、前記第１の覆設部材によって露出する第１のピローユニットと、
第２の吸着体と、第２の覆設部材と、を有し、前記第２の吸着体は、前記第２の覆設部材に配置され、前記第２の吸着体は、前記第２の覆設部材に完全に被覆される第２のピローユニットと、を含み、
前記第１のピローユニットおよび前記第２のピローユニットは、積み重ねられ、または隣り合う医療用ピローキット。
【請求項２】
前記第１の吸着体又は前記第２の吸着体は、発泡材質から製造される請求項１に記載の医療用ピローキット。
【請求項３】
前記第１の吸着体の露出する前記部位は、前記第１の吸着体の中央に位置する請求項１に記載の医療用ピローキット。
【請求項４】
前記第１のピローユニットが前記第２のピローユニットの上に位置し、且つ前記第１の吸着体の露出する前記部位は、前記第１の吸着体の前記第２のピローユニットから離れる側に位置する請求項１に記載の医療用ピローキット。
【請求項５】
前記第１の吸着体又は前記第２の吸着体は、溝、凸部、又は凹部を有する請求項１に記載の医療用ピローキット。
【請求項６】
前記第１の吸着体又は前記第２の吸着体は、波浪状である請求項１に記載の医療用ピローキット。
【請求項７】
前記第１の吸着体又は前記第２の吸着体は、直方体である請求項１に記載の医療用ピローキット。
【請求項８】
前記第１の吸着体又は前記第２の吸着体の隅は、直角又は円弧状である請求項１に記載の医療用ピローキット。
【請求項９】
第３の吸着体と、前記第３の吸着体の一部位を露出するように前記第３の吸着体に覆設され、又は前記第３の吸着体を完全に被覆するように前記第３の吸着体に覆設される第３の覆設部材と、を有する第３のピローユニットを更に含む請求項１に記載の医療用ピローキット。
【請求項１０】
前記第１のピローユニット、前記第２のピローユニットと前記第３のピローユニットの一方が他方の両者の上に位置する請求項９に記載の医療用ピローキット。
【手続補正２】
【補正対象書類名】明細書
【補正対象項目名】０００５
【補正方法】変更
【補正の内容】
【０００５】
本考案の上記目的によると、第１の吸着体と、第１の覆設部材と、を有し、前記第１の吸着体は、前記第１の覆設部材に配置され、前記第１の吸着体の一部位は、前記第１の覆設部材によって露出する第１のピローユニットと、第２の吸着体と、第２の覆設部材と、を有し、前記第２の吸着体は、前記第２の覆設部材に配置され、前記第２の吸着体は、前記第２の覆設部材に完全に被覆される第２のピローユニットと、を含み、前記第１のピローユニットおよび前記第２のピローユニットは、積み重ねられ、または隣り合う医療用ピローキットを提供する。